(57)【要約】【課題】釘が側方からスリーブへ投入されるためネイラ本体を常に持つ必要がない上、釘を装填した後に下へ置くことができるため時間及び労力を減らして簡便に使用することができる側方投入式ネイラを提供する。【解決手段】側方投入式ネイラは、ネイラ本体１０、ネイラ杆２０及び少なくとも１つの釘３０を備える。ネイラ本体１０は、握持部１０１を有する。握持部１０１は、側向開口１０２と、中心から下方にかけて形成された貫通孔１０４とを有する。貫通孔１０４中にはスリーブ１１が固着され、スリーブ１１は、投入口１１１と、握持部１０１上の側向開口１０２とを導通し、投入口１１１の左右両側壁縁の中下部に肩部１１２が突設される。ネイラ杆２０は、ネイラ本体１０の貫通孔１０４中へ挿通され、上方に大き目の打撃端２１を有し、釘３０上にブッシュ３１が嵌合される。【選択図】図２
0003186771.tif 000002
【実用新案登録請求の範囲】
【請求項１】
ネイラ本体、ネイラ杆及び少なくとも１つの釘を備えた側方投入式ネイラであって、
前記ネイラ本体は、握持部を有し、前記握持部は、側向開口と、中心から下方にかけて形成された貫通孔とを有し、前記貫通孔中にはスリーブが固着され、前記スリーブは、投入口と、前記握持部上の前記側向開口とを導通し、前記投入口の左右両側壁縁の中下部に肩部が突設され、前記ネイラ杆は、前記ネイラ本体の前記貫通孔中へ挿通され、上方に大き目の打撃端を有し、前記釘上にブッシュが嵌合され、
前記釘が逃げ切欠きから前記側向開口及び前記投入口を介して前記スリーブ内部へ投入され、前記肩部により前記ブッシュが支持され、前記釘が前記スリーブ内の中心に位置合わせされることを特徴とする側方投入式ネイラ。
【請求項２】
前記握持部上には防護縁が設けられていることを特徴とする請求項１に記載の側方投入式ネイラ。
【請求項３】
前記肩部が延び、上部の孔縁が下部の孔縁より大きい投入口をさらに備えることを特徴とする請求項１に記載の側方投入式ネイラ。
【請求項４】
前記握持部には、前記逃げ切欠きを有する保護スリーブが嵌合され、前記保護スリーブを前記握持部上で回転させると、前記逃げ切欠きが前記側向開口に対して位置合わせされたりずれたりすることを特徴とする請求項１に記載の側方投入式ネイラ。
【請求項５】
前記ブッシュは、プラスチック材料からなるとともに、外周に設けたネック部と、底端に設けたテーパー部とを有することを特徴とする請求項１に記載の側方投入式ネイラ。
【請求項６】
前記肩部の下方には、前記スリーブ内部と前記側向開口とを連通するチャネルが形成され、
前記チャネルが逃げ空間を提供し、前記釘をワッシャと組み合わせて使用することを特徴とする請求項１に記載の側方投入式ネイラ。
【請求項７】
前記ネイラ本体の前記側向開口には、前記釘が多数収納されたコントローラを組み合わせて使用することを特徴とする請求項１に記載の側方投入式ネイラ。
【請求項８】
前記ネイラ杆は、末端一側に切欠きが形成されて段差を有し、先割れリベットに使用することを特徴とする請求項１に記載の側方投入式ネイラ。
【考案の詳細な説明】
【技術分野】
【０００１】
本考案は、側方投入式ネイラに関し、特に、釘の投入に用いる側方開口を有する側方投入式ネイラに関する。
【背景技術】
【０００２】
図１４及び図１５に示すように、従来のネイラは、握持可能な本体５０を含む。本体５０の中心には、貫通孔５０１が形成される。貫通孔５０１中には心軸５１が固着され、心軸５１にネイラ杆５２を摺動自在に挿通させる。ネイラ杆５２の上部には、大き目の打撃端５２１が形成される。本体５０の下端には、チャック５３が内設され、チャック５３の対をなす箇所には、ばね５４により支持されて内方に維持されたグリップ部５５が設けられ、２つのグリップ部５５は、心軸５１の末端に形成された逃げ孔５１１を利用してその内部まで延び、実際に使用する際、心軸５１の底面から釘を装填してグリップ部５５により挟持し、ネイラの本体５０を手で持ってターゲットへ位置合わせした後、ネイラ杆５２の打撃端５２１へ、ハンマ衝撃を与えてターゲットに釘を打ち込むことができる上、本体５０により指を不用意に叩いて怪我することを防ぐ。
【０００３】
しかし、従来の構造は、安全に使用することができるが、以下（１）及び（２）の欠点があった。
（１）実際に使用する際、釘を心軸５１の底面から装填するために、本体５０を持ち上げてネイラが覆われないようにしなければならず、持ち上げて降ろす動作は、時間及び労力がかかり面倒であった。
（２）釘を装填するために、チャック５３を準備し、グリップ部５５により釘を一時挟持し、チャック５３が付加的に設置されるため全体構造が複雑となり、組立が容易でないなどの問題点があった。
【考案の概要】
【考案が解決しようとする課題】
【０００４】
本考案の目的は、釘を側方からスリーブへ投入するためネイラ本体を常に手で持たなくてもよい上、釘を装填した後に下へ置くことができるため時間及び労力を減らして簡便に使用することができる側方投入式ネイラを提供することにある。
本考案のもう一つの目的は、スリーブの肩部を利用し、釘を投入する際、釘を中心に位置合わせさせるため、付加的にチャックを設けなくとも釘を挟持することができ、全体構造が簡素でコストが少なく、短時間に組み立てることができる側方投入式ネイラを提供することにある。
【課題を解決するための手段】
【０００５】
上記課題を解決するために、本考案の第１の形態によれば、ネイラ本体、ネイラ杆及び少なくとも１つの釘を備えた側方投入式ネイラであって、前記ネイラ本体は、握持部を有し、前記握持部は、側向開口と、中心から下方にかけて形成された貫通孔とを有し、前記貫通孔中にはスリーブが固着され、前記スリーブは、投入口と、前記握持部上の前記側向開口とを導通し、前記投入口の左右両側壁縁の中下部に肩部が突設され、前記ネイラ杆は、前記ネイラ本体の前記貫通孔中へ挿通され、上方に大き目の打撃端を有し、前記釘上にブッシュが嵌合され、前記釘が逃げ切欠きから前記側向開口及び前記投入口を介して前記スリーブ内部へ投入され、前記肩部により前記ブッシュが支持され、前記釘が前記スリーブ内の中心に位置合わせされることを特徴とする側方投入式ネイラが提供される。
【０００６】
前記握持部上には防護縁が設けられていることが好ましい。
【０００７】
前記肩部が延び、上部の孔縁が下部の孔縁より大きい投入口をさらに備えることが好ましい。
【０００８】
前記握持部には、前記逃げ切欠きを有する保護スリーブが嵌合され、前記保護スリーブを前記握持部上で回転させると、前記逃げ切欠きが前記側向開口に対して位置合わせされたりずれたりすることが好ましい。
【０００９】
前記ブッシュは、プラスチック材料からなるとともに、外周に設けたネック部と、底端に設けたテーパー部とを有することが好ましい。
【００１０】
前記肩部の下方には、前記スリーブ内部と前記側向開口とを連通するチャネルが形成され、前記チャネルが逃げ空間を提供し、前記釘をワッシャと組み合わせて使用することが好ましい。
【００１１】
前記ネイラ本体の前記側向開口には、前記釘が多数収納されたコントローラを組み合わせて使用することが好ましい。
【００１２】
前記ネイラ杆は、末端一側に切欠きが形成されて段差を有し、先割れリベットに使用することが好ましい。
【図面の簡単な説明】
【００１３】
【図１】図１は、本考案の第１実施形態に係る側方投入式ネイラを示す斜視図である。
【図２】図２は、本考案の第１実施形態に係る側方投入式ネイラを示す分解斜視図である。
【図３】図３は、本考案の第１実施形態に係る側方投入式ネイラを示す断面図である。
【図４】図４は、本考案の第１実施形態に係る側方投入式ネイラが釘を打込む前の状態を示す断面図である。
【図５】図５は、本考案の第１実施形態に係る側方投入式ネイラが釘を打込んだときの状態を示す断面図である。
【図６】図６は、本考案の第２実施形態に係る側方投入式ネイラを示す模式図である。
【図７】図７は、本考案の第２実施形態に係る側方投入式ネイラを示す分解斜視図である。
【図８】図８は、本考案の第２実施形態に係る側方投入式ネイラを示す断面図である。
【図９】図９は、本考案の第２実施形態に係る側方投入式ネイラが釘を打ち入れるときの状態を示す断面図である。
【図１０】図１０は、本考案の第３実施形態に係る側方投入式ネイラを示す斜視図である。
【図１１】図１１は、本考案の第３実施形態に係る側方投入式ネイラを示す分解斜視図である。
【図１２】図１２は、本考案の第４実施形態に係る側方投入式ネイラを示す斜視図である。
【図１３】図１３は、本考案の第４実施形態に係る側方投入式ネイラを示す分解斜視図である。
【図１４】図１４は、従来構造の分解斜視図である。
【図１５】図１５は、従来構造の断面図である。
【考案を実施するための形態】
【００１４】
以下、本考案の実施形態について図に基づいて説明する。なお、これによって本考案が限定されるものではない。
【００１５】
（第１実施形態）
図１〜図３を参照する。図１〜図３に示すように、本考案の第１実施形態に係る側方投入式ネイラは、少なくともネイラ本体１０、ネイラ杆２０及び少なくとも１つの釘３０から構成される。ネイラ本体１０は、握持部１０１を有する。握持部１０１は、側向開口１０２と、上部に設けた防護縁１０３と、中心から下方にかけて形成された貫通孔１０４とを有する。貫通孔１０４中にはスリーブ１１が固着される。このスリーブ１１は、投入口１１１と、握持部１０１上の側向開口１０２とを導通し、投入口１１１の左右両側壁縁の中下部に肩部１１２が突設され、２つの肩部１１２を突出させて投入口１１１の上部に設けた孔縁が下部に設けた孔縁より大きくなるように形成され、握持部１０１には、逃げ切欠き１２１を有する保護スリーブ１２が嵌合され、保護スリーブ１２を握持部１０１上で回転させると、逃げ切欠き１２１が側向開口１０２に位置合わせされるかずれて、ネイラ杆２０がネイラ本体１０の貫通孔１０４中に挿通され、上部に大き目の打撃端２１が設けられ、釘３０上にプラスチック材料からなるブッシュ３１を嵌合させる。ブッシュ３１は、外周に設けたネック部３１１と、底端に設けたテーパー部３１２とを有する。
【００１６】
図４及び図５を参照する。図４及び図５に示すように、本考案の第１実施形態に係る側方投入式ネイラを実際に使用する際、釘３０が逃げ切欠き１２１から側向開口１０２及び投入口１１１を介してスリーブ１１内部へ投入され、肩部１１２によりブッシュ３１を支持し、釘３０がスリーブ１１内で中心に位置合わせされ、ネイラ本体１０を手で持ってターゲットに位置合わせする際、ハンマーによりネイラ杆２０の打撃端２１を打撃し、釘３０が衝撃を受けて下に向かって衝撃力が伝わると、ブッシュ３１がスリーブ１１の上下の孔径の変化により、テーパー部３１２の形成とその材料特性に応じて押し潰され、ブッシュ３１が肩部１１２を超えて釘３０がターゲットに打ち込まれる際、ターゲットが上下方向から同時に押圧されてターゲットに釘３０が確実に打ち込まれてワーク同士が結合され、保護スリーブ１２の回転により逃げ切欠き１２１と側向開口１０２との位置がずれ、釘３０が横から力を受けて側方へ飛び出ることを防ぐ。
【００１７】
（第２及び第３実施形態）
釘３０をワッシャ３２と組み合わせて使用する際、スリーブ１１内部と側向開口１０２とを連通するチャネル１１３が肩部１１２の下方に形成され、チャネル１１３によりワッシャ３２を回避し、ワッシャ３２を釘３０とともにスリーブ１１へ投入した後、ネイラ杆２０により打撃し（図６〜図９を併せて参照する）、多数の釘３０が収納されたコントローラ４０を介してネイラ本体１０の側向開口１０２へ装填され、容易にネイラを連続使用することができる（図１０及び図１１を併せて参照する）。
【００１８】
（第４実施形態）
図１２及び図１３を参照する。図１２及び図１３に示すように、本考案の第４実施形態に係る側方投入式ネイラのネイラ杆２０は、末端一側に切欠き２２が形成されて段差を有し、先割れリベット３００に使用することができる。
【００１９】
上述したことから分かるように、側方投入式ネイラは、以下（１）及び（２）の長所を有する。
（１）釘を側方からスリーブへ投入することができるためネイラ本体を常に手で持つ必要がない上、釘を装填した後に下へ置くことができるため時間を短縮して簡便に使用することができる。
（２）スリーブの肩部の形成を利用し、釘を投入すると自動的に釘が中心に位置合わせされるため、付加的にチャックを設置しなくとも釘を挟持することができ、構造全体が簡素でコストが少なく、組立時間が短い。
【００２０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２１】
１０    ネイラ本体
１１    スリーブ
１２    保護スリーブ
２０    ネイラ杆
２１    打撃端
２２    切欠き
３０    釘
３１    ブッシュ
３２    ワッシャ
４０    コントローラ
５０    本体
５１    心軸
５２    ネイラ杆
５３    チャック
５４    ばね
５５    グリップ部
１０１  握持部
１０２  側向開口
１０３  防護縁
１０４  貫通孔
１１１  投入口
１１２  肩部
１１３  チャネル
１２１  逃げ切欠き
３１１  ネック部
３１２  テーパー部
３００  先割れリベット
５０１  貫通孔
５１１  逃げ孔
５２１  打撃端
【図１】
0003186771.tif 000003
【図２】
0003186771.tif 000004
【図３】
0003186771.tif 000005
【図４】
0003186771.tif 000006
【図５】
0003186771.tif 000007
【図６】
0003186771.tif 000008
【図７】
0003186771.tif 000009
【図８】
0003186771.tif 000010
【図９】
0003186771.tif 000011
【図１０】
0003186771.tif 000012
【図１１】
0003186771.tif 000013
【図１２】
0003186771.tif 000014
【図１３】
0003186771.tif 000015
【図１４】
0003186771.tif 000016
【図１５】
0003186771.tif 000017